(57)【特許請求の範囲】
【請求項１】
接触子が接触導通する接触子受けを有するボディと、前記ボディの前側に取着されて前記接触子が挿入される挿入孔が設けられたカバーと、前記挿入孔を開放する位置と閉塞する位置との間でスライド自在な扉体とを備え、前記ボディには、前記扉体を所定のスライド方向にスライドさせるレールと、前記扉体を前記閉塞する位置側に付勢する復帰ばねと、前記扉体をスライド自在な状態で前記ボディに保持する保持部とが設けられたことを特徴とするコンセント。
【請求項２】
前記保持部は、前記レールを挟んだ両側に前記扉体のスライド方向に沿ってそれぞれ設けられたことを特徴とする請求項１記載のコンセント。
【請求項３】
前記接触子受けは、前記ボディにおいて前記レールを挟んだ両側に配置され、前記保持部には、前記扉体が前記レールを支点として片側に傾いた際に、前記扉体の傾いた側とは反対側の部位と係止して前記扉体のスライドを規制する規制リブが設けられたことを特徴とする請求項１又は２記載のコンセント。
【請求項４】
前記保持部は、前記扉体の端部が嵌り込む凹部を有し、前記保持部には、前記扉体を前記保持部に押し込むことで前記扉体を前記凹部に嵌め込む際に、前記扉体をスライド方向において位置決めする位置決めリブが設けられたことを特徴とする請求項１乃至３の何れか１項に記載のコンセント。
【請求項５】
前記保持部は、前記扉体の端部が嵌り込む凹部を有し、前記扉体を前記保持部に押し込むことで前記扉体を前記凹部に嵌め込む際に、前記保持部の前記扉体と接触する部位には、前記扉体を前記凹部に案内する向きに傾斜するテーパが設けられたことを特徴とする請求項１乃至４の何れか１項に記載のコンセント。
【請求項６】
前記保持部は、前記扉体の端部が嵌り込む凹部を有し、前記扉体を前記保持部に押し込むことで前記扉体を前記凹部に嵌め込む際に、前記扉体の前記保持部と接触する部位には、自身が前記凹部に案内される向きに傾斜するテーパが設けられたことを特徴とする請求項１乃至５の何れか１項に記載のコンセント。
【発明の詳細な説明】
【技術分野】
【０００１】
本発明は、コンセントに関する。
【背景技術】
【０００２】
従来、栓刃や導電ピン等の接触子が接触導通する接触子受けを備えたコンセントが知られており、例えば特許文献１に開示されているようなものがある。この特許文献１に記載の従来例は、規格化された埋込ボックスに取付可能な寸法に形成された略箱形のボディ、このボディよりも大きい寸法に形成され開口面側からボディと結合されるカバーより成る器体を備える。カバーの前面には、栓刃や導電ピン等の複数種の接触子が挿入可能な一対の接触子挿入口から成るコンセント口と、各々に接地極を含む平板状の栓刃が挿入される３個の栓刃挿入口から成る３極型のコンセント口とが設けられている。また、これらの接触子挿入口並びに栓刃挿入口に挿入される接触子及び栓刃とそれぞれ接触導通する接触子受け部及び栓刃受け部が器体の内部に納装されている。更に、この従来のコンセントは、接触子挿入口を開閉自在に閉塞する第１の扉（扉体）と、３極型のコンセント口を構成する栓刃挿入口を開閉自在に閉塞する第２の扉（扉体）とを備える。また、この従来のコンセントは、ボディとカバーの間に配設され、第１及び第２の扉体をカバーの内側に収納するようにしてスライド移動自在に支持する中枠を備える。
【先行技術文献】
【特許文献】
【０００３】
【特許文献１】特開２００５−０３２５９６号公報
【発明の概要】
【発明が解決しようとする課題】
【０００４】
しかしながら、上記従来例では、組立時において各扉体を中枠とカバーとの間で挟持するまでは各扉体を中枠の上に載置するのみであって、各扉体を保持する手段がない。このため、組立時においては各扉体が中枠から脱落しないように注意しながら作業を行う必要があり、組立作業を容易に行い難いという問題があった。
【０００５】
本発明は、上記の点に鑑みて為されたもので、組立時において扉体に注意を要することなく組立作業を容易に行うことのできるコンセントを提供することを目的とする。
【課題を解決するための手段】
【０００６】
本発明のコンセントは、接触子が接触導通する接触子受けを有するボディと、前記ボディの前側に取着されて前記接触子が挿入される挿入孔が設けられたカバーと、前記挿入孔を開放する位置と閉塞する位置との間でスライド自在な扉体とを備え、前記ボディには、前記扉体を所定のスライド方向にスライドさせるレールと、前記扉体を前記閉塞する位置側に付勢する復帰ばねと、前記扉体をスライド自在な状態で前記ボディに保持する保持部とが設けられたことを特徴とする。
【０００７】
このコンセントにおいて、前記保持部は、前記レールを挟んだ両側に前記扉体のスライド方向に沿ってそれぞれ設けられることが好ましい。
【０００８】
このコンセントにおいて、前記接触子受けは、前記ボディにおいて前記レールを挟んだ両側に配置され、前記保持部には、前記扉体が前記レールを支点として片側に傾いた際に、前記扉体の傾いた側とは反対側の部位と係止して前記扉体のスライドを規制する規制リブが設けられることが好ましい。
【０００９】
このコンセントにおいて、前記保持部は、前記扉体の端部が嵌り込む凹部を有し、前記保持部には、前記扉体を前記保持部に押し込むことで前記扉体を前記凹部に嵌め込む際に、前記扉体をスライド方向において位置決めする位置決めリブが設けられることが好ましい。
【００１０】
このコンセントにおいて、前記保持部は、前記扉体の端部が嵌り込む凹部を有し、前記扉体を前記保持部に押し込むことで前記扉体を前記凹部に嵌め込む際に、前記保持部の前記扉体と接触する部位には、前記扉体を前記凹部に案内する向きに傾斜するテーパが設けられることが好ましい。
【００１１】
このコンセントにおいて、前記保持部は、前記扉体の端部が嵌り込む凹部を有し、前記扉体を前記保持部に押し込むことで前記扉体を前記凹部に嵌め込む際に、前記扉体の前記保持部と接触する部位には、自身が前記凹部に案内される向きに傾斜するテーパが設けられることが好ましい。
【発明の効果】
【００１２】
本発明は、保持部によって扉体をボディに保持することができるので、扉体がボディから脱落するのを防止することができる。したがって、組立時において扉体に注意を要することなく組立作業を容易に行うことができる。
【図面の簡単な説明】
【００１３】
【図１】本発明に係るコンセントの実施形態を示す分解斜視図である。
【図２】（ａ）は同上の上ボディ及び下ボディを結合した状態の斜視図で、（ｂ）は（ａ）の断面図である。
【図３】同上の扉体の説明図で、（ａ）は上面図で、（ｂ）は下面図で、（ｃ）は側面図である。
【図４】（ａ）は電圧極の接触子受け及び端子板の一部分解した斜視図で、（ｂ）は接地極の接触子受け及び端子板の一部分解した斜視図である。
【図５】同上の扉体を上ボディに保持させる方法の説明図で、（ａ）は上面図で、（ｂ）は断面図である。
【図６】同上の扉体による各窓孔の閉塞状態の説明図で、（ａ）はカバーの上面図で、（ｂ）は通常状態を示す上面図で、（ｃ）は第１の挿入孔にプラグの接触子を差し込んだ状態を示す上面図で、（ｄ）は第２の挿入孔にプラグの接触子を差し込んだ状態を示す上面図である。
【図７】同上の保持部の説明図で、（ａ）はカバーを外した状態の斜視図で、（ｂ）は（ａ）の破線で囲まれた領域の拡大図である。
【図８】同上の片側の接触子のみの挿入を防止する方法の説明図で、（ａ）は扉体及び上ボディの一部を後側から見た図で、（ｂ）は（ａ）の一部拡大図で、（ｃ）は扉体及び上ボディの一部を後側から見た断面図である。
【図９】同上のカバーの説明図で、（ａ）は下面図で、（ｂ）はカバーにリブを設けた場合の下面図である。
【図１０】同上の完成品を示す図で、（ａ）は正面図で、（ｂ）は側面図である。
【図１１】同上を取付枠及び化粧プレートに取り付けた状態を示す正面図である。
【図１２】同上のピラー端子を備えた場合を示す分解斜視図である。
【発明を実施するための形態】
【００１４】
以下、本発明に係るコンセントの実施形態について図面を用いて説明する。なお、以下の説明では、図１における上下左右を基準とし、上下左右方向と直交する方向を前後方向と定めるものとする。また、以下の説明における「上側」は、特許請求の範囲における「前側」を意味する。
【００１５】
本実施形態は、図１に示すように、プラグ（図示せず）の接触子（図示せず）が接触導通する１対の電圧極の接触子受け６及び接地極の接触子受け７を有する上ボディ４及び下ボディ２を備える。また、本実施形態は、上ボディ２の上側に取着されて接触子が挿入される挿入孔３０〜３２が設けられたカバー３と、各挿入孔３０，３１を開放する位置と閉塞する位置との間でスライド自在な扉体５とを備える。これら上ボディ２、カバー３、下ボディ４を互いに結合することで、筐体１が構成される。
【００１６】
下ボディ２は、例えばユリア樹脂等の熱硬化性樹脂から成り、図１に示すように、その内部にはＴ字状の隔壁２０が形成されている。下ボディ２の内部には、この隔壁２０に隔てられることによって前側の２つ、及び後側の１つの計３つの収納室２１が形成されている。前側の２つの収納室２１には、電圧極の接触子受け６がかしめ固定された電圧極の端子板８がそれぞれ収納される。また、後側の収納室２１には、接地極の接触子受け７がかしめ固定された接地極の端子板９が収納される。各収納室２１の下面には、図２（ｂ）に示すように、電線（図示せず）を下ボディ２内部に導入するための１対の円形状の電線挿入孔２１Ａがそれぞれ設けられている。下ボディ２の左右両側面には、それぞれ後述する上ボディ４の係合凹部４４Ａに嵌め合わされる１対の係合突部２２（図示では右側面のみ）が外側に突出する形で一体に形成されている。
【００１７】
カバー３は、例えばユリア樹脂等の熱硬化性樹脂から成り、図１に示すように、その上面にプラグの電圧極の接触子が挿入される第１の挿入孔３０と第２の挿入孔３１とが各々１対ずつ設けられている。また、カバー３上面には、プラグの接地極の接触子が挿入される第３の挿入孔３２が設けられている。第１の挿入孔３０は、それぞれ平板状の接触子（栓刃）が挿入可能な矩形状の孔と、丸棒状の接触子が挿入可能な円形状の孔とが一体に形成された、所謂ユニバーサル型のコンセント口となっている。第２の挿入孔３１及び第３の挿入孔３２は、それぞれ丸棒状の接触子が挿入可能な円形状の孔から成る。したがって、第１の挿入孔３０及び第３の挿入孔３２は、３極のプラグが接続される３極用のコンセント口であり、第２の挿入孔３１は、２極のプラグが接続される２極用のコンセント口となっている。即ち、本実施形態には、複数種のプラグが接続可能となっている。
【００１８】
上ボディ４は、例えばユリア樹脂等の熱硬化性樹脂から成り、図１に示すように下面が開口した直方体状に形成されている。上ボディ４の第１の挿入孔３０及び第２の挿入孔３１と対向する位置には、電圧極の１対の接触子受け６を各挿入孔３０，３１を介して外部に臨ませる第１の窓孔４０と第２の窓孔４１とがそれぞれ１対ずつ設けられている。また、上ボディ４の第３の挿入孔３２と対向する位置には、接地極の接触子受け７を第３の挿入孔３２を介して外部に臨ませる第３の窓孔４２が設けられている。各窓孔４０〜４２は、対応する各挿入孔３０〜３２とほぼ同じ寸法で設けられている。
【００１９】
上ボディ４上面の前側の第１の窓孔４０及び第２の窓孔４１に挟まれた部位には、図１に示すように、上向きに突出するレール４３が前後方向に沿って設けられている。このレール４３が後述する扉体５の案内溝５２Ａに嵌め込まれることで、扉体５が前後方向にスライド自在に保持される。また、レール４３の中間部には、下向きに窪む第１の収納凹部４４が設けられている。この第１の収納凹部４４に復帰ばね５５の下側の部位を収納することで、復帰ばね５５の前端部が前側のレール４３の後端部に支持されるとともに、復帰ばね５５の後端部が後側のレール４３の前端部に支持される（図２（ａ）参照）。
【００２０】
上ボディ４上面の第１の窓孔４０及び第２の窓孔４１、並びにレール４３を挟んだ左右両側には、図１に示すように、それぞれ扉体５をスライド自在な状態で保持する保持部４５が設けられている。保持部４５は、前後方向を長手方向とするとともに上向きに突出する矩形状の主片４５Ａと、主片４５Ａの上端部から内向きに突出する側片４５Ｂとが一体となって構成される。そして、主片４５Ａ、側片４５Ｂ、上ボディ４上面で囲まれる部位が、扉体５の左右方向における端部が嵌り込む凹部４５Ｃとなっている。
【００２１】
各側片４５Ｂ上面の前側の部位には、上向きに突出する位置決めリブ４５Ｄがそれぞれ一体に形成されている（図２（ａ）参照）。また、各側片４５Ｂ上面の位置決めリブ４５Ｄよりも後側の部位には、それぞれ内側に向かうに従って下向きに傾斜するテーパ４５Ｅが設けられている（図７（ａ）参照）。また、各側片４５Ｂ下面の前後両端部には、それぞれ下向きに突出する規制リブ４５Ｆが一体に形成されている（図２（ｂ）及び図７（ｂ）参照）。
【００２２】
上ボディ４の前後両側面には、それぞれ１対の係止片４６（図示では前面のみ）が設けられている。このため、各係止片４６を取付枠（図示せず）に引っ掛けることで、本実施形態を取付枠に取り付けることができる。また、上ボディ４の左右両側面には、それぞれ下向きに突出する矩形状の係合片４７（図示では右側のみ）が一体に形成されている。各係合片４７には、それぞれ１対の矩形状の係合孔４７Ａが設けられており、これら係合孔４７Ａに下ボディ２の係合突部２２を嵌め合わせることで、上ボディ４と下ボディ２とが互いに結合される。なお、本実施形態の完成品の状態を図９（ａ），（ｂ）に示す。また、化粧プレート１０を前面に装着した取付枠に本実施形態を取り付けた状態を図１０に示す。同図では、本実施形態と共にスイッチ１１を取付枠に取り付けている。
【００２３】
扉体５は、図３（ａ）に示すように、電圧極に対応する各挿入孔３０，３１と対向する形で配設される１対の翼片５０，５１と、翼片５０，５１の中間に位置して各翼片５０，５１を連結する中間部５２とから成る。各翼片５０，５１の前側の部位の上面には、それぞれ接触子の挿入方向に対して傾斜する傾斜面５０Ａ，５１Ａが形成されている。そして、これら傾斜面５０Ａ，５１Ａが接触子の押圧力を受けることで扉体５が後向きにスライドし、上ボディ４の第１の窓孔４０を開放するようになっている。翼片５０，５１の後側の部位には、それぞれ２極のプラグの電圧極の接触子が挿入される円形状の第１の通孔５３が設けられている。各第１の通孔５３の前側の部位の上面には、それぞれ接触子の挿入方向に対して傾斜する傾斜面５３Ａが形成されており、各傾斜面５３Ａが接触子の押圧力を受けることで扉体５が前向きにスライドし、上ボディ４の第２の窓孔４１を開放するようになっている。また、中間部５２の後側の部位には、３極のプラグの接地極の接触子が挿入される円形状の第２の通孔５４が設けられている。この第２の通孔５４の後側の部位の上面には、接触子の挿入方向に対して傾斜する傾斜面５４Ａが形成されており、この傾斜面５４Ａが接触子の押圧力を受けることで扉体５が後向きにスライドし、上ボディ４の第３の窓孔４２を開放するようになっている。
【００２４】
扉体５の中間部５２の後面には、図３（ｂ）に示すように、上ボディ４のレール４３が嵌め込まれる案内溝５２Ａが前後方向に沿って設けられている。この案内溝５２Ａにレール４３を嵌め込むことで、扉体５がレール４３を軸（支点）として揺動自在となる。案内溝５２Ａの中間部には、案内溝５２Ａの幅寸法よりも大きい幅寸法を有する第２の収納凹部５２Ｃが設けられており、この第２の収納凹部５２Ｂに復帰ばね５５の上側の部位が収納される。そして、扉体５が後向きにスライドした場合には、第２の収納凹部５２Ｂの前側の内壁によって復帰ばね５５の前端部が押圧されて復帰ばね５５が後向きに収縮するので、復帰ばね５５が扉体５を前向きに移動させるように扉体５を付勢する。また、扉体５が前向きにスライドした場合には、第２の収納凹部５２Ｂの後側の内壁によって復帰ばね５５の後端部が押圧されて復帰ばね５５が前向きに収縮するので、復帰ばね５５が扉体５を後向きに移動させるように扉体５を付勢する。したがって、扉体５は、前後の何れかの向きにスライドした場合、復帰ばね５５の付勢力により元の状態に復帰するようになっている。
【００２５】
扉体５上面の左右両側における前側の部位には、図３（ａ）に示すように、それぞれ上向きに突出する段部５０Ｂ，５１Ｂが一体に形成されている。また、扉体５下面の左右両側における前側の部位には、図３（ｂ），（ｃ）に示すように、それぞれ外側に向かうに従って上向きに傾斜するテーパ５０Ｃ，５１Ｃが設けられている。
【００２６】
電圧極の接触子受け６は、図４（ａ）に示すように、２極のプラグの電圧極の接触子と接触導通する第１の接触子受け６０と、３極のプラグの電圧極の接触子と接触導通する第２の接触子受け６１とを備える。第１の接触子受け６０は、ばね性を有する金属材料（例えば、黄銅）から成り、互いに対向配置される１対の第１のばね片６０Ａと、各第１のばね片６０Ａに対して直角に配置される第２のばね片６０Ｂとを一体に形成して構成される。各第１のばね片６０Ａは、丸棒状の接触子を弾性的に挟持するものであり、各第２のばね片６１Ａは、各第１のばね片６０Ａとの間で平板状の接触子（栓刃）を弾性的に挟持するものである。また、各ばね片６０Ａ，６０Ｂの下端部は連結片６０Ｃによって一体に連結されており、連結片６０Ｃには、電圧極の端子板８を取り付けるための正方形状の取付孔６０Ｄが設けられている。第２の接触子受け６１は、ばね性を有する金属材料（例えば、黄銅）から成り、互いに対向配置される１対のばね片６１Ａと、各ばね片６１Ａの下端部を連結する連結片６１Ｂとを一体に形成して構成される。連結片６１Ｂにも、電圧極の端子板８を取り付けるための正方形状の取付孔６１Ｃが設けられている。
【００２７】
電圧極の端子板８は、導電性材料から成り、図４（ａ）に示すように、一定の間隔を空けて並設した帯板状の１対の基片８０，８１と、各基片８０，８１の中央同士を連結する連結片８２とを備える。基片８０の前側の左右両端部からは、下向きに突出する接触片８０Ａがそれぞれ延設され、基片８１の後側の左右両端部からは、下向きに突出する延設片８１Ａがそれぞれ延設されている。また、連結片８２の中央部には、正方形状のかしめ孔８２Ａが設けられている。このかしめ孔８２Ａと第１の接触子受け６０の取付孔６０Ｄとを重ね、各々にかしめ鋲６Ａを挿入してかしめることで、第１の接触子受け６０と端子板８とを互いに結合させることができる。また、基片８１の左右方向における中央部からは、後向きに突出する副基片８３が延設されている。この副基片８３の後端部には、正方形状のかしめ孔８３Ａが設けられている。このかしめ孔８３Ａと第２の接触子受け６１の取付孔６１Ｃとを重ね、各々にかしめ鋲６Ａを挿入してかしめることで、第２の接触子受け６１と端子板８とを互いに結合させることができる。
【００２８】
接地極の接触子受け７は、ばね性を有する金属材料（例えば、黄銅）から成り、図４（ｂ）に示すように、互いに対向配置される１対のばね片７０と、各ばね片７０の下端部を連結する連結片７１とを一体に形成して構成される。各ばね片７０は、３極のプラグの接地極の丸棒状の接触子を弾性的に挟持するものである。連結片７１の左右両端部からは、それぞれ外向きに突出するＬ字状の取付片７２が一体に設けられている。これら各取付片７２には、それぞれ接地極の端子板９を取り付けるための正方形状の取付孔７２Ａ（図示では右側のみ）が設けられている。
【００２９】
接地極の端子板９は、図４（ｂ）に示すように、導電性材料から成り、一定の間隔を空けて並設した帯板状の１対の基片９０，９１と、各基片９０，９１の左右方向における一端部同士を連結する連結片９２とを備える。基片９０の後側の左右方向における一端部からは、下向きに突出する接触片９０Ａが延設され、基片９１の前側の左右方向における一端部からは、下向きに突出する延設片９１Ａが延設されている。また、連結片９２の中央部には、正方形状のかしめ孔９２Ａが設けられている。このかしめ孔９２Ａと接地極の接触子受け７の取付孔７２Ａとを重ね、各々にかしめ鋲７Ａを挿入してかしめることで、接地極の接触子受け７と端子板９とを互いに結合させることができる。
【００３０】
各端子板８の連結片８２を挟んだ左右両側にはそれぞれ切り欠き８４が設けられており、また、各端子板９の連結片９２の左右方向における隣にはそれぞれ切り欠き９３が設けられている（図４（ａ），（ｂ）参照）。これら切り欠き８４，９３には、弾性を有する金属板をＣ字状に折り曲げて成る鎖錠ばね２３が挿入されることで配設される。鎖錠ばね２３は、下ボディ２の電線挿入孔２１Ａから収納室２１に導入された電線の抜け止めを行うものであって、電線が挿入される空間を挟んで接触片８０Ａ，９０Ａと対向する中央片２３Ａを備える。また、鎖錠ばね２３は、中央片２３Ａの下端から斜め上方に向けて傾斜する鎖錠片２３Ｂを備える。鎖錠片２３Ｂは、電線挿入孔２１Ａから挿入された電線にその先端部が当接することで、電線の抜け止めを行う。また、鎖錠片２３Ｂによって電線が抜け止めされる際に、鎖錠片２３Ｂの復帰力により電線が接触片８０Ａ，９０Ａに弾性的に接触することで、電線と接触片８０Ａ，９０Ａとを接触導通させることができる。
【００３１】
下ボディ２の各収納室２１には、図１に示すように、鎖錠ばね２３による電線の抜け止めを解除するための解除レバー２４がそれぞれ１対ずつ設けられている。解除レバー２４は、例えば合成樹脂成形品から成り、矩形平板状の操作部２４Ａと、操作部２４Ａの左右両端から前後方向に沿って延設される１対の脚部２４Ｂとを備える。各収納室２１の外部に面している壁部には、図１に示すように、操作部２４Ａを外部に露出する形で解除レバー２４を支持する１対の支持台２５がそれぞれ設けられている。そして、各解除レバー２４は、１対の脚部２４Ｂ間に接触片８０Ａ，９０Ａと鎖錠ばね２３とが配置されるようにして各収納室２１に収納される。また、各収納室２１内には、半円弧状の摺動面を有した軸受け台（図示せず）がそれぞれ設けられており、解除レバー２４の各脚部２４Ｂの端部が軸受け台に載置されることにより、当該端部を支点として解除レバーが回動自在となっている。
【００３２】
而して、接触子受け６，７に接続された電線を取り外すには、解除レバー２４の操作部２４Ａを指で押し上げるように操作すればよい。このように操作することで、解除レバー２４が回動し、脚部２４Ｂが鎖錠片２３Ｂを下方へ押圧することにより、電線に当接している鎖錠片２３Ｂを電線から離す向きに変位させ、電線を取り外すことができる。
【００３３】
以下、扉体５を上ボディ４に保持させる方法について図面を用いて説明する。先ず、図５（ａ）に示すように、扉体５の左右何れかの一端部（図示では左側）を一方の保持部４５の側片４５Ｂの上面に当接させ、上側から押し込むことで扉体５の一端部を一方の保持部４５の凹部４５Ｃに嵌め込む。その後、扉体５の左右方向における他端部を他方の保持部４５の側片４５Ｂの上面に当接させ、上側から押し込むことで扉体５の他端部を他方の保持部４５の凹部４５Ｃに嵌め込む。このようにして、扉体５を各保持部４５の凹部４５Ｃに嵌め込むことで、扉体５をスライド自在な状態で上ボディ４に保持することができる。
【００３４】
ここで、扉体５を凹部４５Ｃに嵌め込む際に、扉体５の角部を位置決めリブ４５Ｄに押し当てながら扉体５を上側から押し込む。位置決めリブ４５Ｄは、扉体５をスライド方向において位置決めするものであって、扉体５の角部を位置決めリブ４５に押し当てることで、上ボディ４の第１の収納凹部４４と扉体５の第２の収納凹部５２Ｂとの位置関係を調整することができる。仮に、位置決めリブ４５Ｄを設けない場合では、第１の収納凹部４４と第２の収納凹部５２Ｂとを正確に重ね合わせない限り、扉体５が復帰ばね５５に引っ掛かるために扉体５を保持部４５に保持させることができない。これに対して、本実施形態では扉体５の角部を位置決めリブ４５Ｄに押し当てることで、第１の収納凹部４４と第２の収納凹部５２Ｂとを正確に重ね合わせることができるので、扉体５の位置合わせに時間を要することがない。
【００３５】
また、扉体５を凹部４５Ｃに嵌め込む際に、図５（ａ），（ｂ）に示すように、保持部４５のテーパ４５Ｅに扉体５のテーパ５０Ｃ，５１Ｃを押し当てながら扉体５を上側から押し込む。保持部４５のテーパ４５Ｅは、扉体５と接触する部位において扉体５を凹部４５Ｃに案内する向きに傾斜するものである。したがって、扉体５を凹部４５Ｃに押し込んで嵌め込む際に、扉体５の端部がテーパ４５Ｅ上を摺動して凹部４５Ｃに案内されるので、扉体５を凹部４５Ｃに容易に嵌め込むことができる。また、扉体５のテーパ５０Ｃ，５１Ｃは、保持部４５と接触する部位において扉体５自身が凹部４５Ｃに案内される向きに傾斜するものである。したがって、扉体５を凹部４５Ｃに押し込んで嵌め込む際に、保持部４５の側片４５Ｂがテーパ５０Ｃ，５１Ｃ上を摺動することで扉体５の端部が凹部４５Ｃに案内されるので、扉体５を凹部４５Ｃに容易に嵌め込むことができる。
【００３６】
なお、本実施形態では保持部４５及び扉体５の何れにもテーパ４５Ｅ，５０Ｃ，５１Ｃを設けているが、保持部４５及び扉体５のうち少なくとも何れか一方に設けることで、上記の効果を奏することができる。勿論、保持部４５及び扉体５の両方に設ける方がより効果的であることは言うまでもない。
【００３７】
次に、扉体５による各挿入孔３０〜３２の閉塞状態を図面を用いて説明する。各挿入孔３０〜３２にプラグの接触子を挿入していない場合は、図６（ａ）に示すように、電圧極の接触子が挿入される各第１の窓孔４０及び各第２の窓孔４１の何れもが扉体５によって閉塞された状態となる。即ち、扉体５によって充電部である接触子受け６，７が閉塞されるので、本実施形態を使用しない場合において、筐体１内部の充電部に触れることによる感電を防止することができる。
【００３８】
３極のプラグの接触子を各第１の挿入孔３０及び第３の挿入孔３２に挿入する場合は、図６（ｂ）に示すように、扉体５の各傾斜面５０Ａ，５１Ａ，５４Ａが各接触子に押圧されることで、扉体５が後向きにスライドする。すると、各第１の窓孔４０及び第３の窓孔４２が開放されて各第１の接触子受け６０及び接地極の接触子受け７が外部に臨むので、３極のプラグの接触子を各第１の接触子受け６０及び接地極の接触子受け７に接触導通させることができる。このとき、各第２の窓孔４１は扉体５によって閉塞されたままであるので、各第２の接触子受け６１に触れるのを防止することができる。
【００３９】
２極のプラグの接触子を各第２の挿入孔３１に挿入する場合は、図６（ｃ）に示すように、扉体５の各傾斜面５３Ａが各接触子に押圧されることで、扉体５が前向きにスライドする。すると、各第２の窓孔４１が開放されて各第２の接触子受け６１が外部に臨むので、２極のプラグの接触子を各第２の接触子受け６１に接触導通させることができる。このとき、各第１の窓孔４０は扉体５によって閉塞されたままであるので、各第１の接触子受け６０に触れるのを防止することができる。なお、プラグの接触子を各挿入孔３０〜３２から抜くと、復帰ばね５５の付勢力により扉体５が復帰し、電圧極の接触子が挿入される各第１の窓孔４０及び各第２の窓孔４１の何れもが扉体５によって閉塞された状態となる。
【００４０】
また、本実施形態では、第１の挿入孔３０のうち何れか一方のみ、又は第２の挿入孔３１のうち何れか一方のみに接触子等を挿入しようとした場合に、扉体５のスライドを規制する手段を設けている。扉体５のスライドを規制する手段は、図７（ａ），（ｂ）に示すように、各保持部４５に設けられた１対の規制リブ４５Ｆと、扉体５の各翼片５０，５１に設けられた段部５０Ｂ，５１Ｂ（図示では段部５１Ｂのみ）とで構成される。図８（ａ）〜（ｃ）に示すように、第１の挿入孔３０のうち何れか一方のみ、又は第２の挿入孔３１のうち何れか一方のみに接触子等を挿入しようとすると、接触子等に押圧されて扉体５がレール４３を軸として揺動し、左右のうち片側（図示では左側）に傾く。このとき、扉体５の前記片側とは反対側の端部に設けられた段部５０Ｂ，５１Ｂ（図示では５１Ｂ）が保持部４５の１対の規制リブ４５Ｆの間に位置する。したがって、扉体５を前後方向に沿ってスライドさせようとしても、段部５０Ｂ，５１Ｂが規制リブ４５Ｆに引っ掛かるために、扉体５のスライドが規制される。而して、プラグの電圧極の接触子等が片側のみ挿入されるのを防止することができる。
【００４１】
上述のように、本実施形態では、１対の保持部４５によって扉体５を上ボディ４に保持することができるので、扉体５が上ボディ４から脱落するのを防止することができる。したがって、組立時において扉体５に注意を要することなく組立作業を容易に行うことができる。
【００４２】
ところで、従来のように上ボディ４に保持部４５を設けていない場合は、図９（ｂ）に示すように、カバー３の下面に１対の保持リブ３３を設けていた。そして、各保持リブ３３によって扉体５の左右両側を挟持することで、扉体５がスライド方向以外の方向に移動するのを規制していた。しかしながら、カバー３に１対の保持リブ３３を設ける場合では、組立時において扉体５を保持する手段がなく、組立時に扉体５が脱落しないように組立作業を行う必要があった。更に、カバー３に１対の保持リブ３３を設ける場合では、カバー３を成型する際にカバー３の上面から見てヒケが生じる可能性があった。これに対して、本実施形態では、上ボディ４に保持部４５を設けていることから、上述のように組立時に扉体５が脱落することがなく、更に、図９（ａ）に示すように、カバー３の下面に１対の保持リブ３３を設ける必要もないため、カバー３の上面から見てヒケが生じることもないという利点がある。
【００４３】
なお、本実施形態では、各端子板８，９に鎖錠ばね２３を設け、電線を鎖錠ばね２３で鎖錠する構造であるが、各端子板８，９を設ける代わりに、図１２に示すように、ねじで電線を締め付けるピラー端子１００Ａを設ける構造であってもよい。この場合、下ボディ２の代わりにピラー端子１００Ａを有する主ボディ１００を用い、この主ボディ１００の内部に１対の電圧極の接触子受け６と、接地極の接触子受け７とを収納すればよい。また、上ボディ４の代わりに平板状に形成された中枠１０１を用い、中枠１０１を主ボディ１００の上側の開口面を閉塞するように載置すればよい。なお、中枠１０１の構成は上ボディ４の構成と基本的に同一である。
【符号の説明】
【００４４】
２  下ボディ（ボディ）
３  カバー
３０  第１の挿入孔
３１  第２の挿入孔
３２  第３の挿入孔
４  上ボディ（ボディ）
４３  レール
４５  保持部
５  扉体
５５  復帰ばね
６  電圧極の接触子受け
７  接地極の接触子受け
【図１】
0005584572.tif 000002
【図２】
0005584572.tif 000003
【図３】
0005584572.tif 000004
【図４】
0005584572.tif 000005
【図５】
0005584572.tif 000006
【図６】
0005584572.tif 000007
【図７】
0005584572.tif 000008
【図８】
0005584572.tif 000009
【図９】
0005584572.tif 000010
【図１０】
0005584572.tif 000011
【図１１】
0005584572.tif 000012
【図１２】
0005584572.tif 000013